(57)【要約】【課題】沈殿物を生じる物質を充填してなるエアゾールにおいて、前記沈殿物を再分散し、またバルブ、ボタン、ノズル等の詰まりが生じるのを防止することができる固化した内容物の再分散機能付きエアゾールを提供すること。【解決手段】沈殿物を生じる物質を充填してなる底径（Ｒ）のエアゾール缶本体１に対し、直径（ｒ）の分散用の攪拌球３を次式を満たすように入れた。（（Ｒ−ｒ）×π／ｒ）＜ｎ＜（Ｒ２／ｒ２）（ｎ：攪拌球の投入個数）なお、前記攪拌球３はスチールボールであることが好ましく、また攪拌球３の直径（ｒ）が、５．０〜１０．０（ｍｍ）の範囲であることが好ましい。【選択図】      図１
2004275909.tif 000002
【特許請求の範囲】
【請求項１】
沈殿物を生じる物質を充填してなる底径（Ｒ）のエアゾール缶本体に対し、直径（ｒ）の分散用の攪拌球を数１を満たすように入れたことを特徴とする固化した内容物の再分散機能付きエアゾール。
【数１】
2004275909.tif 000006
【請求項２】
攪拌球がスチールボールである請求項１に記載の固化した内容物の再分散機能付きエアゾール。
【請求項３】
攪拌球の直径（ｒ）が、５．０〜１０．０（ｍｍ）の範囲である請求項１または２に記載の固化した内容物の再分散機能付きエアゾール。
【発明の詳細な説明】
【０００１】
【発明の属する技術分野】
本発明は、沈殿物を生じる物質を充填してなるエアゾールにおいて、前記沈殿物を再分散し、またバルブ、ボタン、ノズル等の詰まりが生じるのを防止することができる固化した内容物の再分散機能付きエアゾールに関するものである。
【０００２】
【従来の技術】
【非特許文献１】
スズカファイン（株）カタログ「Ｐｒｏｄｕｃｔ  Ｈａｒｍｏｎｙ」、
平成５年１２月発行、ｐ．９
【０００３】
従来から、例えばエアゾール式の剥離油等には大豆レシチンや加工澱粉が原料として充填されているものがある。これら大豆レシチンや加工澱粉等は、時間の経過とともにエアゾール缶内において沈殿・固化する傾向があるため吸い上げ管の下端部が埋まってスプレー処理できなかったり、固化した沈殿物の破片がバルブ、ボタン、ノズル等を閉塞してしまいスプレーをすることができないという問題点があった。従って、このようなエアゾール製品の場合は沈殿・固化による詰まりを防止するために製造後の使用期間が短く制限されたり、寝かせた状態で保管する必要がある等、使用上の制限が課せられるものが多かった。また、場合によってはエアゾール化できないものもあった。
【０００４】
そこで、非特許文献１に示されるように、エアゾール缶内に充填物の沈殿・固化物を再分散するためのガラスボールやセラミックボールからなる攪拌球を入れたものが提案されている。このような攪拌球を入れたものは使用時に缶を激しく振ることで沈殿・固化物を再分散して充填物の沈殿・固化を防止するとともに、均一なスプレーを確保する。
しかしながら、従来のものは攪拌球を１〜２個入れたものが普通であり、１〜２個の攪拌球では沈殿・固化物を十分に再分散することが難しく、均一なスプレーをすることができないという問題点があった。
【０００５】
【発明が解決しようとする課題】
本発明は上記のような従来の問題点を解決して、沈殿物を生じる物質を充填してなるエアゾールにおいて、前記沈殿物の再分散を確実に行うことができバルブ、ボタン、ノズル等の詰まりが生じるのを防止して均一なスプレーをすることができ、また缶を激しく振っても缶を著しく変形させることのない固化した内容物の再分散機能付きエアゾールを提供することを目的として完成されたものである。
【０００６】
【課題を解決するための手段】
上記の課題を解決するためになされた本発明の固化した内容物の再分散機能付きエアゾールは、沈殿物を生じる物質を充填してなる底径（Ｒ）のエアゾール缶本体に対し、直径（ｒ）の分散用の攪拌球を数２を満たすように入れたことを特徴とするものである。
【数２】
2004275909.tif 000003
【０００７】
なお、前記攪拌球がスチールボールであることが好ましく、これを請求項２に係る発明とし、また攪拌球の直径（ｒ）が、５．０〜１０．０（ｍｍ）の範囲であることが好ましく、これを請求項３に係る発明とする。
【０００８】
【発明の実施の形態】
以下に、図面を参照しつつ本発明の好ましい形態を示す。
図１は、本発明の固化した内容物の再分散機能付きエアゾールを示すもので、沈殿物を生じる物質を充填してなる底径（Ｒ）のエアゾール缶本体１に対し、直径（ｒ）の分散用の攪拌球３を下記数３を満たすように入れた点に特徴を有するものである。
【数３】
2004275909.tif 000004
本発明によれば、このように攪拌球の投入個数（ｎ）を規制することにより、沈殿物を生じる物質の固化物を再分散してバルブ、ボタン、ノズル等の詰まりを防止することができるとともに、均一なスプレーをすることができ、また缶を激しく振っても缶を著しく変形させることがなくなる。
【０００９】
これは本発明者が研究した結果、従来のように比較的大きな径の攪拌球を１〜２個入れるのと異なり、一定サイズの攪拌球３を一定個数入れれば充填物の沈殿・固化物を確実に再分散できるとの知見に基づき、本発明を完成するに至ったものである。
即ち、図１〜図２に示されるように、エアゾール缶本体１の底面２に多数個の攪拌球３が一面に並ぶように入れることが効果的であり、最も好ましくは底面２の全面に攪拌球３がビッシリと並ぶ個数がよい。
【００１０】
この条件をエアゾール缶本体１の底径（Ｒ）、攪拌球３の直径（ｒ）との関係で数式で表わすと下記の数４となる。
【数４】
2004275909.tif 000005
攪拌球３の投入個数が、この式で表わされる個数よりも小さい場合は、沈殿・固化物の再分散効果は得られるものの、攪拌に時間がかかる。一方、沈殿物の固化はエアゾール缶本体１の底面２上のみで発生する現象であるので、攪拌球３は底面２の全面に攪拌球３がビッシリと並ぶ個数だけあればよく、それ以上あるとエアゾール缶を振った場合に缶を大きく変形させるおそれがあるので無制限に投入する必要はない。
【００１１】
また、前記攪拌球３はスチールボールであることが好ましい。スチールボールの場合は、従来のようなガラスやセラミックからなるボールと異なり、缶を激しく振っても攪拌球自体が破損することがなく、更にはスチールボールはガラスやセラミックより密度が大きく同じ径で比較した場合、重量が重く沈殿物を再分散させるのに有利に作用するからである。
更に、前記攪拌球３の直径（ｒ）は、５．０〜１０．０（ｍｍ）の範囲が好ましい。５．０ｍｍ未満では沈殿物の攪拌効果が十分でなく、一方、１０．０ｍｍより大きいと、エアゾール缶を変形させる可能性が高くなるからである。
【００１２】
［実施例］
大豆レシチン、加工澱粉を含み沈殿物を生じる物質を原料としたエアゾールスプレーであって、剥離油６４重量％、ＬＰＧ３６重量％からなるエアゾール缶（直径：６６ｍｍ）内に、直径６．３５ｍｍ（１／４インチ）のスチールボール（天野鋼球製作所製：玉軸受用鋼球ＡＫＳ１／４）を３０個入れたものを準備した。
このエアゾールを１ヶ月間立てた状態で保管した後、使用するに際して缶を振ってからスプレーしたところ、何ら液詰まりもなく、かつ均一にスプレー処理することができた。
【００１３】
【発明の効果】
以上の説明からも明らかなように、本発明は沈殿物を生じる物質を充填してなるエアゾールにおいて、前記沈殿物の再分散を確実に行うことができバルブ、ボタン、ノズル等の詰まりが生じるのを防止して均一なスプレーをすることができ、また缶を激しく振っても缶を著しく変形させることのないものである。
よって、本発明は従来の問題点を一掃した固化した内容物の再分散機能付きエアゾールとして、産業の発展に寄与するところは極めて大である。
【図面の簡単な説明】
【図１】本発明の実施の形態を示す断面図である。
【図２】本発明の実施の形態を示す底面図である。
【符号の説明】
１  エアゾール缶本体
２  底部
３  分散用の攪拌球
【図１】
2004275909.tif 000007
【図２】
2004275909.tif 000008